(57)【要約】【課題】低圧運転モードでの運転時に全流量域での省エネルギー運転を可能とするとともに、高圧運転モードでの運転時おいて、消費電力の増加を防止しつつ、その目標圧力の増加幅を大きくできる給水ユニットを提供すること。【解決手段】  給水ユニット１０は、ポンプ４１と、モータ４２と、モータ４２に交流電力を供給するインバータ回路８２と、圧力検出部６２と、標準運転モード、標準運転モードでのポンプ４１の最高回転速度よりも小さい回転速度が最高回転速度として設定された高圧運転モード、及び、標準運転モードでのポンプ４１の最高回転速度よりも小さい回転速度が最高回転速度として設定された低圧運転モードのいずれかを選択するスイッチ８３と、圧力検出部６２の検出結果に基づいて、スイッチ８３の操作により選択された運転モードにより、ポンプ４１を制御するようインバータ回路８２を制御する制御部８１と、を備える。【選択図】図１
2017210921.tif 000002
【特許請求の範囲】
【請求項１】
水を増圧して吐出するポンプと、
前記ポンプを駆動するモータと、
前記モータに交流電力を供給するインバータ回路と、
前記ポンプの吐出圧力を検出する圧力検出部と、
所定の標準圧力値が目標圧力値として設定され、設定された最高回転速度内で吐出圧力一定制御を行う標準運転モード、目標圧力値が前記標準圧力値よりも高い圧力値に設定され、かつ、前記ポンプの最高回転速度が前記標準運転モードでの前記ポンプの前記最高回転速度よりも小さい回転速度に設定された吐出圧力一定制御を行う高圧運転モード、及び、目標圧力値が前記標準圧力値よりも低い圧力値に設定され、かつ、前記ポンプの最高回転速度が前記標準運転モードでの前記ポンプの前記最高回転速度よりも小さい回転速度に設定された吐出圧力一定制御を行う低圧運転モードのいずれかを選択する操作部と、
前記標準運転モード、前記高圧運転モード、及び、前記低圧運転モードのうち前記操作部の操作により選択された運転モードにより、前記圧力検出部の検出結果に基づいて前記ポンプを制御するよう前記インバータ回路を制御する制御部と、
を具備することを特徴とする給水ユニット。
【請求項２】
前記高圧運転モードでは、前記ポンプの回転速度は、前記最高回転速度となるまで、同じ流量での前記標準運転モードの前記ポンプの回転速度、及び、前記同じ流量での前記低圧運転モードの前記ポンプの回転速度よりも高い値に設定されている
ことを特徴とする請求項１に記載の給水ユニット。
【請求項３】
前記低圧運転モードでは、前記ポンプの回転速度は、全流流量域で、前記標準運転モードの前記ポンプの回転速度よりも小さい値に設定されている
ことを特徴とする請求項１または２に記載の給水ユニット。
【請求項４】
所定の標準圧力値がポンプの吐出圧力の目標圧力値として設定され、設定された最高回転速度内で吐出圧力一定制御を行う標準運転モード、目標圧力値が前記標準圧力値よりも高い圧力値に設定され、かつ、前記ポンプの最高回転速度が前記標準運転モードでの前記ポンプの前記最高回転速度よりも小さい回転速度に設定された吐出圧力一定制御を行う高圧運転モード、及び、目標圧力値が前記標準圧力値よりも低い圧力値に設定され、かつ、前記ポンプの最高回転速度が前記標準運転モードでの前記ポンプの前記最高回転速度よりも小さい回転速度に設定された吐出圧力一定制御を行う低圧運転モードのいずれかを選択し、
前記標準運転モード、前記高圧運転モード、及び、前記低圧運転モードのうち選択された運転モードにより、前記ポンプを制御する
ことを特徴とする給水ユニットの制御方法。
【請求項５】
前記高圧運転モードでは、前記ポンプの回転速度は、前記最高回転速度となるまで、同じ流量での前記標準運転モードの前記ポンプの回転速度、及び、前記同じ流量での前記低圧運転モードの前記ポンプの回転速度よりも高い値に設定されている
ことを特徴とする請求項４に記載の給水ユニットの制御方法。
【請求項６】
前記低圧運転モードでは、前記ポンプの回転速度は、全流量域で、前記標準運転モードの前記ポンプの回転速度よりも小さい値に設定されている
ことを特徴とする請求項４または５に記載の給水ユニットの制御方法。
【発明の詳細な説明】
【技術分野】
【０００１】
本発明は、吐出圧力一定制御を行う給水ユニット、及び、給水ユニットの制御方法に関する。
【背景技術】
【０００２】
井戸や受水槽の水をポンプで汲み上げて給水する給水ユニットとして、複数の運転モードから使用者が選択した運転モードによりポンプを制御する給水ユニットが知られている（例えば、特許文献１参照。）。
【０００３】
また、給水ユニットの構成として、吐出圧力が目標圧力値となるようポンプの回転速度を制御する吐出圧力一定制御を可能とするとともに、運転モードとして、標準運転モード、高圧運転モード、及び、低圧運転モードを有する構成が考えられる。標準運転モードは、予め設定された標準圧力値を目標圧力値とする運転モードである。高圧運転モードは、散水等の高い吐出圧力が必要な運転を可能とする、標準圧力値より高い圧力値を目標圧力値とする運転モードである。低圧運転モードは、省エネルギー運転を可能とする、標準圧力値よりも低い圧力値を目標圧力値とする運転モードである。
【先行技術文献】
【特許文献】
【０００４】
【特許文献１】特許第５７１５８０３号
【発明の概要】
【発明が解決しようとする課題】
【０００５】
上述した、いずれか選択された運転モードでの吐出圧力一定制御を行う給水ユニットでは、以下の問題があった。すなわち、各運転モードでは、その吐出圧力の目標圧力値が異なるが、ポンプの最高回転速度は同じである。
【０００６】
この為、低圧運転モードであっても、ポンプの回転速度が最高回転速度となると、それ以降の大流量域では給水ユニットの消費電力は標準運転モードでの消費電力と同じとなるので、全流量域で省エネルギー運転を行うものではなかった。
【０００７】
また、給水ユニットは、法規によりモータ巻線の温度上昇を許容値以下にする必要があるため、高圧運転モードでの最大消費電力を、標準運転モードでの最大消費電力に対して所定の範囲に収める必要がある。この為、高圧運転モードの吐出し圧力の目標圧力値が制限されることとなり、高圧運転モードによる増圧効果は制限されていた。
【０００８】
さらに、給水ユニットは、標準運転モード及び低圧運転モードに対して消費電力が大きくなる高圧運転モードでの温度上昇を考慮して設計される必要があるが、主に高圧運転モード以外の運転モードが使用される場合においては、その設計が過剰なものとなる。
【０００９】
そこで、本発明は、低圧運転モードでの運転時に全流量域での省エネルギー運転を可能とするとともに、高圧運転モードでの運転時において、消費電力の増加を防止しつつ、その目標圧力値の増加幅を大きくできる給水ユニット、及び、給水ユニットの制御方法を提供することを目的としている。
【課題を解決するための手段】
【００１０】
本発明の一態様として、給水ユニットは、水を増圧して吐出するポンプと、前記ポンプを駆動するモータと、前記モータに交流電力を供給するインバータ回路と、前記ポンプの吐出圧力を検出する圧力検出部と、所定の標準圧力値が目標圧力値として設定され、設定された最高回転速度内で吐出圧力一定制御を行う標準運転モード、目標圧力値が前記標準圧力値よりも高い圧力値に設定され、かつ、前記ポンプの最高回転速度が前記標準運転モードでの前記ポンプの前記最高回転速度よりも小さい回転速度に設定された吐出圧力一定制御を行う高圧運転モード、及び、目標圧力値が前記標準圧力値よりも低い圧力値に設定され、かつ、前記ポンプの最高回転速度が前記標準運転モードでの前記ポンプの前記最高回転速度よりも小さい回転速度に設定された吐出圧力一定制御を行う低圧運転モードのいずれかを選択する操作部と、前記標準運転モード、前記高圧運転モード、及び、前記低圧運転モードのうち前記操作部の操作により選択された運転モードにより、前記圧力検出部の検出結果に基づいて前記ポンプを制御するよう前記インバータ回路を制御する制御部と、を備える。
【００１１】
本発明の一態様として、給水ユニットの制御方法は、所定の標準圧力値がポンプの吐出圧力の目標圧力値として設定され、設定された最高回転速度内で吐出圧力一定制御を行う標準運転モード、目標圧力値が前記標準圧力値よりも高い圧力値に設定され、かつ、前記ポンプの最高回転速度が前記標準運転モードでの前記ポンプの前記最高回転速度よりも小さい回転速度に設定された吐出圧力一定制御を行う高圧運転モード、及び、目標圧力値が前記標準圧力値よりも低い圧力値に設定され、かつ、前記ポンプの最高回転速度が前記標準運転モードでの前記ポンプの前記最高回転速度よりも小さい回転速度に設定された吐出圧力一定制御を行う低圧運転モードのいずれかを選択し、前記標準運転モード、前記高圧運転モード、及び、前記低圧運転モードのうち選択された運転モードにより、前記ポンプを制御する。
【発明の効果】
【００１２】
本発明によれば、低圧運転モードでの運転時に全流量域での省エネルギー運転を可能とするとともに、高圧運転モードでの運転時において、消費電力の増加を防止しつつ、その目標圧力の増加幅を大きくできる給水ユニット、及び、給水ユニットの制御方法を提供することが可能となる。
【図面の簡単な説明】
【００１３】
【図１】本発明の一実施形態に係る給水ユニットの構成を示す平面図。
【図２】同給水ユニットの各運転モードでの吐出圧力と流量との関係を示す線図。
【図３】同給水ユニットの各運転モードでのポンプの回転速度と流量との関係を示す線図。
【図４】同給水ユニットの各運転モードでの消費電力と流量との関係を示す線図。
【発明を実施するための形態】
【００１４】
本発明の一実施形態に係る給水ユニット１０を、図１乃至４を用いて説明する。図１は、給水ユニット１０の構成を示す平面図である。図２は、給水ユニット１０の各運転モードの吐出圧力と吐出流量との関係を示す線図である。図３は、給水ユニット１０の各運転モードのポンプ４１の回転速度と吐出流量との関係を示す線図である。図４は、給水ユニット１０の各運転モードの消費電力と吐出流量との関係を示す線図である。ここで言う吐出流量は、ポンプ４１の二次側を流れる水の流量である。
【００１５】
給水ユニット１０は、井戸や受水槽に設置され、水を汲み上げて給水可能に構成された、例えば自吸式給水ユニットである。図１に示すように、給水ユニット１０は、ベース２０、吸込管３０、吸込管３０の二次側に連結されたポンプ装置４０、ポンプ装置４０の二次側に設けられた自吸室５０、自吸室５０の二次側に設けられ、吐出流量及び吐出圧力を検出可能な検出装置６０、検出装置６０の二次側に連結された吐出管７０、及び、電装部８０を有している。吸込管３０、ポンプ装置４０、自吸室５０、検出装置６０、吐出管７０、及び、電装部８０は、ベース２０上に設けられている。
【００１６】
吸込管３０は、井戸や受水槽に設置された吸込配管に連結可能に形成されている。また、吸込管３０は、この吸込配管からの水をポンプ装置４０のポンプ４１に送水可能に形成されている。
【００１７】
ポンプ装置４０は、吸込管３０を通して吸い込んだ水を増圧可能に構成されたポンプ４１、及び、ポンプ４１を駆動するモータ４２を有している。ポンプ装置４０は、ポンプ４１の上部にモータ４２が設置された縦型のポンプ装置である。ポンプ４１は、例えば渦流ポンプである。ポンプ４１は、内部にポンプ室４３を形成するケーシング、ポンプ室４３内に配置された羽根車４４、及び、羽根車４４に固定された回転軸を有している。
モータ４２は、ポンプ４１のケーシングの上部に支持されたモータケーシング、このモータケーシング内に固定された固定子、及び、モータケーシング内に配置され、固定子に対して回転可能に設けられた回転子を有している。回転子は、羽根車４４の回転軸を回転可能に形成されている。
【００１８】
自吸室５０は、ポンプ室４３から増圧された水を吸い込む吸込口、及び、ポンプ室４３に水を戻す戻し口を有している。吸込口、及び、戻し口は、ポンプ室４３に連通している。自吸室５０の上部には、呼び水口が形成されている。呼び水口には、着脱可能なプラグ５３が設けられている。呼び水口は、自吸室内に呼び水を注水可能に形成された開口である。当該自吸室５０内、及び、ポンプ室４３内で水を循環することにより、給水ユニット１０は、自吸運転を行うことが可能となる。
【００１９】
検出装置６０は、自吸室５０の上部に設けられている。検出装置６０は、その内部に、吐出管７０までの流路の一部を形成する流路を有している。自吸運転が完了し、自吸室内が水で満たされると、ポンプ４１により増圧された水は、検出装置６０に流れる。
【００２０】
検出装置６０は、内部に形成され、自吸室５０から吐出管７０まで水が流れる流路を有する。検出装置６０は、また、この流路に設けられた流量検出部６１、及び、この流路に設けられた圧力検出部６２を有している。流量検出部６１、及び、圧力検出部６２は、信号線Ｓにより、電装部８０の制御部８１に接続されている。
【００２１】
流量検出部６１は、ポンプ４１の駆動を停止する停止流量を検出可能に形成されており、検出結果に応じた信号を出力可能に形成されている。圧力検出部６２は、ポンプ４１の吐出圧力である検出装置６０内の流路を流れる水の圧力を検出し、検出結果圧力に応じた信号を出力可能に形成されている。
【００２２】
電装部８０は、制御部８１、交流電力をモータ４２に供給するインバータ回路８２、及び、使用者により操作可能に構成されたスイッチ８３を有している。
【００２３】
制御部８１は、ポンプ４１を制御可能に形成されている。制御部８１は、自吸運転が完了していない場合は、自吸運転を行うべくポンプ４１を制御する。また、制御部８１は、自吸運転が完了している場合は、流量検出部６１及び圧力検出部６２の検出結果に基づいて、ポンプ４１を定常運転させるべくポンプ４１を制御する。定常運転とは、ポンプ４１の回転速度を制御して吐出圧力が目標圧力値になるよう、インバータ回路８２を制御する運転である。ポンプ４１の回転速度は、インバータ回路８２より出力される交流電力の周波数に応じて決定される。ポンプ４１の回転速度は、羽根車４４の回転速度である。
【００２４】
制御部８１は、定常運転を行う場合では、圧力検出部６２が起動圧力を検出すると、ポンプ４１を起動する。また、制御部８１は、流量検出部６１が停止流量を検出すると、ポンプ４１を停止する。制御部８１は、標準運転モード、高圧運転モード、及び、低圧運転モードのうち、使用者がスイッチ８３を操作することにより選択したいずれかの運転モードによりポンプ４１を制御する。
【００２５】
標準運転モードは、給水ユニット１０の標準的な運転に用いられる運転モードであり、所定の標準圧力値が目標圧力値として設定され、かつ、ポンプ４１の所定の回転速度が最高回転速度として設定された吐出圧力一定制御により、ポンプ４１を制御する運転モードである。図２では、標準圧力値は、実線で示されている。図２に示すように、標準運転モードの目標圧力値となる標準圧力値は、例えば、２５ｍである。また、標準運転モードの起動圧力は、例えば、２１ｍである。
【００２６】
図３では、標準運転モードでのポンプ４１の回転速度は、実線で示されている。図３に示すように、標準運転モードでのポンプ４１の最高回転速度は、例えば、３３９０ｍｉｎ−１に設定されている。制御部８１は、吐出圧力が標準圧力値となるように、ポンプ４１の回転速度が最高回転速度を越えない範囲で、ポンプ４１を制御する。標準運転モードでは、吐出流量が略３４Ｌ／ｍｉｎとなると、ポンプ４１の回転速度が最高回転速度に達する。図４では、標準運転モードでの消費電力は、実線で示されている。図４に示すように、標準運転モードでは、吐出流量が略３４Ｌ／ｍｉｎのときに、消費電力が最大となる。標準運転モードの最大消費電力は、３９０Ｗである。
【００２７】
高圧運転モードは、標準運転モードでの目標圧力値を維持可能な吐出流量の最大値よりも小流量域において、標準運転モードの目標圧力値よりも高い吐出圧力を目標圧力値として吐出圧力一定制御をしつつ、その最大消費電力を、標準運転モードでの最大消費電力と略同じ、または、標準運転モードでの最大消費電力以下とする運転モードである。
【００２８】
本実施形態では、高圧運転モードでは、その最大消費電力が標準運転モードでの最大消費電力と略同じになるよう、ポンプ４１の最高回転速度が設定されている。高圧運転モードの最大消費電力は、図４中に破線で示すように、３９５Ｗになっている。
【００２９】
図２では、高圧運転モードでの吐出圧力の目標圧力値は、破線で示されている。図２に示すように、本実施形態では、高圧運転モードは、吐出圧力を目標圧力値に維持しつつ、吐出流量として、２３Ｌ／ｍｉｎを確保している。高圧運転モードの目標圧力値は、例えば、３１ｍであり、標準運転モードより６ｍ高く設定されている。また、高圧運転モードでの起動圧力は、例えば、２７ｍである。
【００３０】
高圧運転モードでのポンプ４１の回転速度は、最高回転速度となるまで、同じ吐出流量における標準運転モードでの回転速度、及び、同じ吐出流量における低圧運転モードでの回転速度よりも高い値に設定されている。また、高圧運転モードでのポンプ４１の最高回転速度は、標準運転モードでの最高回転速度、及び、低圧運転モードでの最高回転速度よりも小さい値に設定されている。
【００３１】
具体的には、高圧運転モードでの回転速度は、図３中に破線で示すように、３１５０ｍｉｎ−１に設定されている。これは、高圧運転モードの最大消費電力が３９５Ｗになっており、かつ、吐出圧力の目標圧力値が３１ｍに設定された為である。
【００３２】
制御部８１は、高圧運転モードでは、吐出圧力が目標圧力値となるように、ポンプ４１の回転速度が最高回転速度である３１５０ｍｉｎ−１を越えない範囲で、ポンプ４１を制御する。
【００３３】
高圧運転モードでは、吐出流量が略２７Ｌ／ｍｉｎとなると、ポンプ４１の回転速度が最高回転速度となり、消費電力が最大となる。
【００３４】
低圧運転モードは、全流領域において標準運転モードよりも消費電力を抑えた運転が可能となる、吐出圧力一定制御によりポンプ４１を制御する運転モードである。具体的には、低圧運転モードでは、標準圧力値よりも低い圧力値が目標圧力値として設定され、かつ、標準運転モードでのポンプ４１の最高回転速度より小さい回転速度が最高回転速度に設定されている。図２に１点鎖線で示すように、低圧運転モードでは、吐出圧力の目標圧力値は、例えば、２１ｍに設定されており、標準運転モードより４ｍ低く設定されている。低圧運転モードの起動圧力は、例えば、１７ｍである。
【００３５】
図３に１点鎖線で示すように、低圧運転モードでのポンプ４１の最高回転速度は、具体的には、低圧運転モードでの最大消費電力が標準運転モードでの最大消費電力よりも小さくなるように設定されている。また、低圧運転モードでのポンプ４１の回転速度は、全流量域で、標準運転モードでのポンプ４１の回転速度よりも小さい値に設定されている。図４に示すように、本実施形態では、低圧運転モードの最大消費電力は、３１０Ｗになっており、図３に示すように、低圧運転モードでのポンプ４１の最高回転速度は、３２００ｍｉｎ−１に設定されている。
【００３６】
制御部８１は、低圧運転モードでは、吐出圧力が目標圧力値となるように、ポンプ４１の回転速度が最高回転速度である３２００ｍｉｎ−１を越えない範囲で、ポンプ４１を制御する。低圧運転モードでは、吐出流量が略３１Ｌ／ｍｉｎとなると、ポンプ４１の回転速度が最高回転速度となり、消費電力が最大となる。低圧運転モードでの回転速度は、最高回転速度に達するまで、標準運転モードでの回転速度よりも小さい値である。
【００３７】
スイッチ８３は、使用者が、運転モードを選択する際に操作する操作部である。スイッチ８３は、例えば、スライドスイッチである。スイッチ８３は、移動可能なつまみを有しており、このつまみを、所望の運転モードが示された位置まで移動することにより、運転モードを選択可能に構成されている。スイッチ８３は、制御部８１に接続されており、使用者の操作により選択された運転モードに応じた信号を制御部８１に送信可能に形成されている。
【００３８】
次に、給水ユニット１０の定常運転について説明する。まず、使用者は、スイッチ８３を操作することにより、使用用途に応じた運転モードを選択する。使用者は、例えば標準的な運転を希望する場合は、スイッチ８３を操作することにより、標準運転モードを選択する。使用者は、給水ユニット１０を、散水等の高い吐出圧力を要する運転に用いる場合は、スイッチ８３を操作して高圧運転モードを選択する。使用者は、省エネルギー運転を希望する場合は、スイッチ８３を操作することにより、低圧運転モードを選択する。
【００３９】
スイッチ８３は、使用者の操作により選択された運転モードに応じた信号を制御部８１に送信する。制御部８１は、スイッチ８３からの信号に基づいて、使用者により選択された運転モードにより、ポンプ４１を制御する。
【００４０】
具体的には、制御部８１は、標準運転モードによりポンプ４１を制御する場合は、圧力検出部６２により起動圧力を検出すると、標準圧力値を目標圧力値とし、最高回転速度を３３９０ｍｉｎ−１として、ポンプ４１を吐出圧力一定制御により制御する。この制御により、給水ユニット１０の最大消費電力は、３９０Ｗとなる。また、制御部８１は、流量検出部６１により停止流量を検出すると、ポンプ４１の駆動を停止する。
【００４１】
制御部８１は、高圧運転モードによりポンプ４１を制御する場合は、圧力検出部６２により起動圧力を検出すると、ポンプ４１の吐出圧力が目標圧力値となるように、最高回転速度を３１５０ｍｉｎ−１として、吐出圧力一定制御によりポンプ４１を制御する。この制御により、給水ユニット１０の最大消費電力は、３９５Ｗとなる。また、制御部８１は、流量検出部６１により停止流量を検出すると、ポンプ４１の駆動を停止する。
【００４２】
制御部８１は、低圧運転モードによりポンプ４１を制御する場合は、圧力検出部６２により起動圧力を検出すると、ポンプ４１の吐出圧力が目標圧力値となるように、最高回転速度を３２００ｍｉｎ−１として、吐出圧力一定制御によりポンプ４１を制御する。この制御により、給水ユニット１０の最大消費電力は、３１０Ｗとなる。また、制御部８１は、流量検出部６１により停止流量を検出すると、ポンプ４１の駆動を停止する。
【００４３】
このように構成された給水ユニット１０では、低圧運転モードでの運転では、ポンプ４１の最高回転速度を標準運転モードでのポンプ４１の最高回転速度よりも小さい値に設定することにより、図４に示すように、全ての吐出流量において、消費電力を標準運転モードでの消費電力よりも小さく抑えることができる。
【００４４】
さらに、低圧運転モードでは、ポンプ４１の最高回転速度が標準運転モードでの最高回転速度よりも小さい値に設定されている。この為、モータ４２のファンの騒音などが低減されるので、給水ユニット１０が発する騒音のレベルを、標準運転モードに対して低減することができる。
【００４５】
また、高圧運転モードでは、ポンプ４１の最高回転速度を、標準運転モードでのポンプ４１の最高回転速度よりも小さく抑えることにより、その最大消費電力を、標準運転モードでの最大消費電力と略同じ、または、標準運転モードでの最大消費電力以下としている。この為、高圧運転モードで消費電力の増加を防止することができる。
【００４６】
また、高圧運転モードでの消費電力の増加を防止できることにより、モータ４２や電装部８０での発熱量を、標準運転モードでの発熱量に対して増加することを防止できる。
【００４７】
この為、給水ユニット１０を、標準運転モードでの温度上昇を考慮して設計することにより、高圧運転モードでの温度上昇に対応することが可能となる。
【００４８】
また、高圧運転モードでは、ポンプ４１の最高回転速度を標準運転モードでのポンプ４１の最高回転速度よりも小さくすることにより、目標圧力値を維持しつつ確保可能なポンプ４１からの流量が、標準運転モードでの目標圧力値を維持しつつ確保可能なポンプ４１からの流量より小流量となるが、目標圧力値を標準運転モードの目標圧力値に対して大きくすることできるので、高圧運転モードでの十分な増圧効果を得ることができる。
【００４９】
本実施形態では、給水ユニット１０は、使用者がスイッチ８３を操作することにより、所望の運転モードを選択可能な構成であるがこれに限定されない。給水ユニット１０は、他の例としては、無線で信号を送信するリモコンにより、運転モードを選択可能に構成されてもよい。この場合、給水ユニット１０は、使用者により操作されるリモコンを有し、電装部８０は、リモコンにより発振された信号を受信し、受信結果を制御部８１に送信する受信部を備えてもよい。
【００５０】
この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。
【符号の説明】
【００５１】
１０…給水ユニット、２０…ベース、３０…吸込管、４０…ポンプ装置、４１…ポンプ、４２…モータ、４３…ポンプ室、４４…羽根車、５０…自吸室、６０…検出装置、６１…流量検出部、６２…圧力検出部、７０…吐出管、８０…電装部、８１…制御部、８２…インバータ回路、８３…スイッチ（操作部）。
【図１】
2017210921.tif 000003
【図２】
2017210921.tif 000004
【図３】
2017210921.tif 000005
【図４】
2017210921.tif 000006
【手続補正書】
【提出日】平成29年6月19日(2017.6.19)
【手続補正１】
【補正対象書類名】特許請求の範囲
【補正対象項目名】全文
【補正方法】変更
【補正の内容】
【特許請求の範囲】
【請求項１】
水を増圧して吐出するポンプと、
前記ポンプを駆動するモータと、
前記モータに交流電力を供給するインバータ回路と、
前記ポンプの吐出圧力を検出する圧力検出部と、
所定の標準圧力値が目標圧力値として設定され、設定された最高回転速度内で吐出圧力一定制御を行う標準運転モード、前記所定の標準圧力値を維持可能な前記標準運転モードの吐出流量の最大値よりも小流量域で、目標圧力値が前記標準圧力値よりも高い圧力値に設定され、かつ、前記ポンプの最高回転速度が前記標準運転モードでの前記ポンプの前記最高回転速度よりも小さい回転速度に設定された吐出圧力一定制御を行う高圧運転モード、及び、目標圧力値が前記標準圧力値よりも低い圧力値に設定され、かつ、前記ポンプの最高回転速度が前記標準運転モードでの前記ポンプの前記最高回転速度よりも小さい回転速度に設定された吐出圧力一定制御を行う低圧運転モードのいずれかを選択する操作部と、
前記標準運転モード、前記高圧運転モード、及び、前記低圧運転モードのうち前記操作部の操作により選択された運転モードにより、前記圧力検出部の検出結果に基づいて前記ポンプを制御するよう前記インバータ回路を制御する制御部と、
を具備することを特徴とする給水ユニット。
【請求項２】
前記高圧運転モードでは、前記ポンプの回転速度は、前記最高回転速度となるまで、同じ流量での前記標準運転モードの前記ポンプの回転速度、及び、前記同じ流量での前記低圧運転モードの前記ポンプの回転速度よりも高い値に設定されている
ことを特徴とする請求項１に記載の給水ユニット。
【請求項３】
前記低圧運転モードでは、前記ポンプの回転速度は、全流量域で、前記標準運転モードの前記ポンプの回転速度よりも小さい値に設定されている
ことを特徴とする請求項１または２に記載の給水ユニット。
【請求項４】
所定の標準圧力値がポンプの吐出圧力の目標圧力値として設定され、設定された最高回転速度内で吐出圧力一定制御を行う標準運転モード、前記所定の標準圧力値を維持可能な前記標準運転モードの吐出流量の最大値よりも小流量域で、目標圧力値が前記標準圧力値よりも高い圧力値に設定され、かつ、前記ポンプの最高回転速度が前記標準運転モードでの前記ポンプの前記最高回転速度よりも小さい回転速度に設定された吐出圧力一定制御を行う高圧運転モード、及び、目標圧力値が前記標準圧力値よりも低い圧力値に設定され、かつ、前記ポンプの最高回転速度が前記標準運転モードでの前記ポンプの前記最高回転速度よりも小さい回転速度に設定された吐出圧力一定制御を行う低圧運転モードのいずれかを選択し、
前記標準運転モード、前記高圧運転モード、及び、前記低圧運転モードのうち選択された運転モードにより、前記ポンプを制御する
ことを特徴とする給水ユニットの制御方法。
【請求項５】
前記高圧運転モードでは、前記ポンプの回転速度は、前記最高回転速度となるまで、同じ流量での前記標準運転モードの前記ポンプの回転速度、及び、前記同じ流量での前記低圧運転モードの前記ポンプの回転速度よりも高い値に設定されている
ことを特徴とする請求項４に記載の給水ユニットの制御方法。
【請求項６】
前記低圧運転モードでは、前記ポンプの回転速度は、全流量域で、前記標準運転モードの前記ポンプの回転速度よりも小さい値に設定されている
ことを特徴とする請求項４または５に記載の給水ユニットの制御方法。
【手続補正２】
【補正対象書類名】明細書
【補正対象項目名】００１０
【補正方法】変更
【補正の内容】
【００１０】
本発明の一態様として、給水ユニットは、水を増圧して吐出するポンプと、前記ポンプを駆動するモータと、前記モータに交流電力を供給するインバータ回路と、前記ポンプの吐出圧力を検出する圧力検出部と、所定の標準圧力値が目標圧力値として設定され、設定された最高回転速度内で吐出圧力一定制御を行う標準運転モード、前記所定の標準圧力値を維持可能な前記標準運転モードの吐出流量の最大値よりも小流量域で、目標圧力値が前記標準圧力値よりも高い圧力値に設定され、かつ、前記ポンプの最高回転速度が前記標準運転モードでの前記ポンプの前記最高回転速度よりも小さい回転速度に設定された吐出圧力一定制御を行う高圧運転モード、及び、目標圧力値が前記標準圧力値よりも低い圧力値に設定され、かつ、前記ポンプの最高回転速度が前記標準運転モードでの前記ポンプの前記最高回転速度よりも小さい回転速度に設定された吐出圧力一定制御を行う低圧運転モードのいずれかを選択する操作部と、前記標準運転モード、前記高圧運転モード、及び、前記低圧運転モードのうち前記操作部の操作により選択された運転モードにより、前記圧力検出部の検出結果に基づいて前記ポンプを制御するよう前記インバータ回路を制御する制御部と、を備える。
【手続補正３】
【補正対象書類名】明細書
【補正対象項目名】００１１
【補正方法】変更
【補正の内容】
【００１１】
本発明の一態様として、給水ユニットの制御方法は、所定の標準圧力値がポンプの吐出圧力の目標圧力値として設定され、設定された最高回転速度内で吐出圧力一定制御を行う標準運転モード、前記所定の標準圧力値を維持可能な前記標準運転モードの吐出流量の最大値よりも小流量域で、目標圧力値が前記標準圧力値よりも高い圧力値に設定され、かつ、前記ポンプの最高回転速度が前記標準運転モードでの前記ポンプの前記最高回転速度よりも小さい回転速度に設定された吐出圧力一定制御を行う高圧運転モード、及び、目標圧力値が前記標準圧力値よりも低い圧力値に設定され、かつ、前記ポンプの最高回転速度が前記標準運転モードでの前記ポンプの前記最高回転速度よりも小さい回転速度に設定された吐出圧力一定制御を行う低圧運転モードのいずれかを選択し、前記標準運転モード、前記高圧運転モード、及び、前記低圧運転モードのうち選択された運転モードにより、前記ポンプを制御する。
【手続補正４】
【補正対象書類名】明細書
【補正対象項目名】００５０
【補正方法】変更
【補正の内容】
【００５０】
この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。以下に、本願出願の当初の特許請求範囲に記載された発明を付記する。
［１］
水を増圧して吐出するポンプと、
前記ポンプを駆動するモータと、
前記モータに交流電力を供給するインバータ回路と、
前記ポンプの吐出圧力を検出する圧力検出部と、
所定の標準圧力値が目標圧力値として設定され、設定された最高回転速度内で吐出圧力一定制御を行う標準運転モード、目標圧力値が前記標準圧力値よりも高い圧力値に設定され、かつ、前記ポンプの最高回転速度が前記標準運転モードでの前記ポンプの前記最高回転速度よりも小さい回転速度に設定された吐出圧力一定制御を行う高圧運転モード、及び、目標圧力値が前記標準圧力値よりも低い圧力値に設定され、かつ、前記ポンプの最高回転速度が前記標準運転モードでの前記ポンプの前記最高回転速度よりも小さい回転速度に設定された吐出圧力一定制御を行う低圧運転モードのいずれかを選択する操作部と、
前記標準運転モード、前記高圧運転モード、及び、前記低圧運転モードのうち前記操作部の操作により選択された運転モードにより、前記圧力検出部の検出結果に基づいて前記ポンプを制御するよう前記インバータ回路を制御する制御部と、
を具備することを特徴とする給水ユニット。
［２］
前記高圧運転モードでは、前記ポンプの回転速度は、前記最高回転速度となるまで、同じ流量での前記標準運転モードの前記ポンプの回転速度、及び、前記同じ流量での前記低圧運転モードの前記ポンプの回転速度よりも高い値に設定されている
ことを特徴とする［１］に記載の給水ユニット。
［３］
前記低圧運転モードでは、前記ポンプの回転速度は、全流流量域で、前記標準運転モードの前記ポンプの回転速度よりも小さい値に設定されている
ことを特徴とする［１］または［２］に記載の給水ユニット。
［４］
所定の標準圧力値がポンプの吐出圧力の目標圧力値として設定され、設定された最高回転速度内で吐出圧力一定制御を行う標準運転モード、目標圧力値が前記標準圧力値よりも高い圧力値に設定され、かつ、前記ポンプの最高回転速度が前記標準運転モードでの前記ポンプの前記最高回転速度よりも小さい回転速度に設定された吐出圧力一定制御を行う高圧運転モード、及び、目標圧力値が前記標準圧力値よりも低い圧力値に設定され、かつ、前記ポンプの最高回転速度が前記標準運転モードでの前記ポンプの前記最高回転速度よりも小さい回転速度に設定された吐出圧力一定制御を行う低圧運転モードのいずれかを選択し、
前記標準運転モード、前記高圧運転モード、及び、前記低圧運転モードのうち選択された運転モードにより、前記ポンプを制御する
ことを特徴とする給水ユニットの制御方法。
［５］
前記高圧運転モードでは、前記ポンプの回転速度は、前記最高回転速度となるまで、同じ流量での前記標準運転モードの前記ポンプの回転速度、及び、前記同じ流量での前記低圧運転モードの前記ポンプの回転速度よりも高い値に設定されている
ことを特徴とする［４］に記載の給水ユニットの制御方法。
［６］
前記低圧運転モードでは、前記ポンプの回転速度は、全流量域で、前記標準運転モードの前記ポンプの回転速度よりも小さい値に設定されている
ことを特徴とする［４］または［５］に記載の給水ユニットの制御方法。